(57)【要約】      （修正有）【課題】ユーザの嗜好に合ったコンテンツデータを、ユーザに操作の煩わしさを与えずに、所定の装置に自動的に記録し、さらに他の装置に簡単かつ効率的に自動送信することができるデータ送受信システムを提供する。【解決手段】記録再生装置は、記録部、通信部、ユーザー設定記憶部、及び制御部を備えている。ユーザー設定記憶部は記録部に記録されたコンテンツの中から他の記録再生性装置へ送信するコンテンツを特定するための送信設定情報を記憶する。制御部は、送信設定情報に基いて、通信部による他の記録再生装置へのコンテンツのデータ送信を自動的に制御する。【選択図】図１
2005071509.tif 000002
【特許請求の範囲】
【請求項１】
映像や音声等で構成されるコンテンツのデータを受信し、記録及び再生を行う記録再生装置であって、
受信したコンテンツのデータを記録する記録部と、
前記記録部に記録されたコンテンツのデータを他の記録再生装置に送信する通信部と、
前記記録部に記録されたコンテンツの中から前記他の記録再生装置へ送信するコンテンツを特定するための送信設定情報を記憶するユーザ設定記憶部と、
前記送信設定情報に基づいて、前記通信部による前記他の記録再生装置へのコンテンツのデータ送信を自動的に制御する制御部とを備える、記録再生装置。
【請求項２】
前記送信設定情報は、ユーザの嗜好に合ったコンテンツを特定するためのキーワードを含み、
前記制御部は、前記キーワードによって特定されたコンテンツをデータ送信することを特徴とする、請求項１に記載の記録再生装置。
【請求項３】
前記送信設定情報は、必ず送信するコンテンツを指定するための必須情報をさらに含み、
前記制御部は、前記必須情報によって指定されたコンテンツを優先してデータ送信することを特徴とする、請求項２に記載の記録再生装置。
【請求項４】
前記送信設定情報は、コンテンツをデータ送信する前記他の記録再生装置が使用される環境に関する情報を含み、
前記制御部は、当該情報に基づいて環境に合致したコンテンツをデータ送信することを特徴とする、請求項１〜３のいずれかに記載の記録再生装置。
【請求項５】
前記環境に関する情報は、少なくとも前記他の記録再生装置でコンテンツの再生が開始される開始時刻が指定されており、
前記制御部は、前記送信設定情報で特定されたコンテンツの合計データ量及び前記通信部によるデータ伝送レートを判断し、前記開始時刻までに当該特定されたコンテンツのデータ送信が完了するように、前記通信部から前記他の記録再生装置へのコンテンツのデータ送信開始時刻を決定することを特徴とする、請求項４に記載の記録再生装置。
【請求項６】
前記ユーザ設定記憶部は、コンテンツの予約記録に関する記録設定情報をさらに記憶しており、
前記制御部は、前記記録設定情報に基づいて、前記記録部に記録するコンテンツを自動的に制御することを特徴とする、請求項１〜５のいずれかに記載の記録再生装置。
【請求項７】
前記記録設定情報は、ユーザが直接的に指定したコンテンツの記録設定情報及びユーザがキーワードを用いて間接的に指定したコンテンツの記録設定情報を含むことを特徴とする、請求項６に記載の記録再生装置。
【請求項８】
前記記録設定情報及び前記送信設定情報は、ユーザ毎に設定されることを特徴とする、請求項６又は７に記載の記録再生装置。
【請求項９】
前記記録設定情報及び前記送信設定情報は、外部接続されるユーザインタフェースを介してユーザによって設定され、前記ユーザ設定記憶部に記憶されることを特徴とする、請求項６〜８のいずれかに記載の記録再生装置。
【請求項１０】
前記記録設定情報の設定は、前記ユーザインタフェースの表示画面をユーザが確認しながら行われ、
予約記録情報を設定する画面、
嗜好情報を設定する画面、又は
前記予約記録情報又は前記嗜好情報の少なくとも一方を設定することで決定される記録予定のコンテンツを確認する画面の少なくとも１つが、前記ユーザインタフェースに表示されることを特徴とする、請求項９に記載の記録再生装置。
【請求項１１】
前記送信設定情報の設定は、前記ユーザインタフェースの表示画面をユーザが確認しながら行われ、
必須情報を設定する画面、
嗜好情報を設定する画面、又は
前記必須情報又は前記嗜好情報の少なくとも一方を設定することで決定されるデータ送信予定のコンテンツを確認する画面の少なくとも１つが、前記ユーザインタフェースに表示されることを特徴とする、請求項９に記載の記録再生装置。
【請求項１２】
前記記録設定情報及び前記送信設定情報は、ユーザによるコンテンツの再生状況に応じて自動的に更新されることを特徴とする、請求項６〜８いずれかに記載の記録再生装置。
【請求項１３】
前記制御部は、前記送信設定情報で特定されたコンテンツ毎に、その記録開始時刻以降に前記通信部から前記他の記録再生装置へ向けてストリームによるデータ送信を開始させることを特徴とする、請求項１〜４のいずれかに記載の記録再生装置。
【請求項１４】
映像や音声等で構成されるコンテンツのデータを受信し、記録及び再生を行う記録再生装置であって、
受信したコンテンツのデータを記録する記録部と、
前記記録部に記録されたコンテンツの中から他の記録再生装置へ送信するコンテンツを特定するための送信設定情報を記憶するユーザ設定記憶部と、
前記送信設定情報に基づいて、前記他の記録再生装置へ送信するコンテンツのデータを準備する制御部とを備える、記録再生装置。
【請求項１５】
映像や音声等で構成されるコンテンツのデータを受信して記録及び再生を行う記録再生装置から、他の記録再生装置へ特定のコンテンツをデータ送信するデータ送受信システムであって、
前記記録再生装置は、
受信したコンテンツのデータを記録する記録部と、
前記記録部に記録されたコンテンツのデータを前記他の記録再生装置に送信する通信部と、
前記記録部に記録されたコンテンツの中から前記他の記録再生装置へ送信するコンテンツを特定するための送信設定情報を記憶するユーザ設定記憶部と、
前記送信設定情報に基づいて、前記通信部による前記他の記録再生装置へのコンテンツのデータ送信を自動的に制御する制御部とを備え、
前記他の記録再生装置は、
前記記録再生装置から送信されるコンテンツのデータを受信する通信部と、
前記通信部で受信されたコンテンツのデータを記録する記録部とを備える、データ送受信システム。
【請求項１６】
前記記録再生装置のユーザ設定記憶部は、コンテンツの予約記録に関する記録設定情報をさらに記憶しており、
前記記録再生装置の制御部は、前記記録設定情報に基づいて、前記記録再生装置の記録部に記録するコンテンツを自動的に制御することを特徴とする、請求項１５に記載のデータ送受信システム。
【請求項１７】
前記記録設定情報及び前記送信設定情報は、前記記録再生装置に外部接続されるユーザインタフェースを介してユーザによって設定され、前記ユーザ設定記憶部に記憶されることを特徴とする、請求項１５又は１６に記載のデータ送受信システム。
【請求項１８】
前記記録設定情報及び前記送信設定情報は、前記他の記録再生装置に外部接続されるユーザインタフェースを介してユーザによって設定され、前記他の記録再生装置の通信部から前記記録再生装置の通信部へ通信が行われて前記ユーザ設定記憶部に記憶されることを特徴とする、請求項１５又は１６に記載のデータ送受信システム。
【請求項１９】
前記記録設定情報の設定は、前記ユーザインタフェースの表示画面をユーザが確認しながら行われ、
予約記録情報を設定する画面、
嗜好情報を設定する画面、又は
前記予約記録情報又は前記嗜好情報の少なくとも一方を設定することで決定される記録予定のコンテンツを確認する画面の少なくとも１つが、前記ユーザインタフェースに表示されることを特徴とする、請求項１７又は１８に記載のデータ送受信システム。
【請求項２０】
前記送信設定情報の設定は、前記ユーザインタフェースの表示画面をユーザが確認しながら行われ、
必須情報を設定する画面、
嗜好情報を設定する画面、又は
前記必須情報又は前記嗜好情報の少なくとも一方を設定することで決定されるデータ送信予定のコンテンツを確認する画面の少なくとも１つが、前記ユーザインタフェースに表示されることを特徴とする、請求項１７又は１８に記載のデータ送受信システム。
【請求項２１】
前記記録設定情報及び前記送信設定情報は、ユーザによる前記記録再生装置におけるコンテンツの再生状況に応じて自動的に更新されることを特徴とする、請求項１５〜２０のいずれかに記載のデータ送受信システム。
【請求項２２】
前記記録設定情報及び前記送信設定情報は、ユーザによる前記他の記録再生装置におけるコンテンツの再生状況に応じて、前記他の記録再生装置の通信部から前記記録再生装置の通信部へ通信が行われて自動的に更新されることを特徴とする、請求項１５〜２０のいずれかに記載のデータ送受信システム。
【請求項２３】
前記記録再生装置の通信部は、前記制御部による制御の下、前記送信設定情報で特定されたコンテンツ毎に、その記録開始時刻以降からコンテンツデータをストリームによって順次送信し、
前記他の記録再生装置の通信部は、前記記録再生装置からストリームによって送信されるコンテンツデータを順次受信することを特徴とする、請求項１５〜２２のいずれかに記載のデータ送受信システム。
【請求項２４】
前記他の記録再生装置は、車に設置されることを特徴とする、請求項１３〜２３のいずれかに記載のデータ送受信システム。
【請求項２５】
映像や音声等で構成されるコンテンツのデータを受信して記録及び再生を行う記録再生装置から、他の記録再生装置へ特定のコンテンツをデータ送信するデータ送受信方法であって、
前記記録再生装置は、
所定の記録媒体に記録されたコンテンツの中から前記他の記録再生装置へ送信するコンテンツを特定するための送信設定情報を設定するステップと、
前記送信設定情報に基づいて、前記他の記録再生装置へ送信するコンテンツデータを自動的に準備するステップと、
前記準備されたコンテンツデータを前記他の記録再生装置に自動的に送信するステップとを備え、
前記他の記録再生装置は、前記記録再生装置から送信されるコンテンツのデータを受信するステップを備える、データ送受信方法。
【請求項２６】
前記記録再生装置は、
コンテンツの予約記録に関する記録設定情報を設定するステップと、
前記記録設定情報に基づいて、受信したコンテンツのデータを前記所定の記録媒体に記録するステップとをさらに備える、請求項２５に記載のデータ送受信方法。
【請求項２７】
前記他の記録再生装置は、前記記録設定情報及び前記送信設定情報を通信によって設定できるステップをさらに備える、請求項２６に記載のデータ送受信方法。
【請求項２８】
前記記録再生装置は、前記送信設定情報で特定されたコンテンツ毎に、その記録開始時刻以降からコンテンツデータをストリームによって順次送信するステップを、
前記他の記録再生装置は、前記記録再生装置からストリームによって送信されるコンテンツデータを順次受信するステップをさらに備えることを特徴とする、請求項２５〜２７のいずれかに記載のデータ送受信方法。
【発明の詳細な説明】
【技術分野】
【０００１】
本発明は、記録再生装置、データ送受信システム及びデータ送受信方法に関し、より特定的には、データ記録／再生機能及びデータ通信機能を備えた装置、及びこの装置で構成されるデジタルデータを送受信するシステム、並びにこの装置間で行われるデジタルデータを送受信する方法に関する。
【背景技術】
【０００２】
近年、車に搭載されるナビゲーション装置や可搬型の映像機器（パソコンやＰＤＡ等）でも、ＤＶＤ−Ｖｉｄｅｏ等のデジタル映像の視聴が可能になってきた。一方で、家庭内据置型の記録再生機器としてハードディスクレコーダやＤＶＤレコーダ等が徐々に普及しており、映像情報をデジタルデータで保存できるようになってきた。このように、家庭内で記録したユーザの嗜好に合ったＴＶ番組等の映像を、家庭外でも視聴できる環境が整いつつある。
【０００３】
通常、家庭内の記録再生機器で記録した映像や音声等（以下、コンテンツと記す）を家庭外で視聴しようとする場合、視聴に使用する記録再生機器で扱えるリムーバブルメディア（ＤＶＤ−ＲＡＭ、ＤＶＤ−Ｒ、半導体メモリ等）にコンテンツデータを保存して、そのメディアを記録再生機器に導入する必要がある。この場合、事前にユーザが、数多くの記録コンテンツの中から視聴したいコンテンツを手動で選択し、リムーバブルメディアに保存しておかなければならず、またユーザ自らの手でリムーバブルメディアを記録再生機器に挿入して読み出し／書き込み作業をしなければならないため、煩わしいという問題がある。
【０００４】
このうち、車内等の記録再生機器に導入することの煩わしさを解決するための技術として、例えば特許文献１に開示されている技術が存在する。この特許文献１では、家庭内の機器で保存したコンテンツデータを容易に車内の移動可能機器等に保存して視聴する方法を提案している。このシステムでは、家庭内に設置された機器（パソコン等）と車載機器とでファイル同期を行うことにより、家庭のパソコンで保存したコンテンツデータを車載機器に保存し、あるいは車載機器で保存したコンテンツデータを家庭のパソコンに保存することができる。
【０００５】
一方、視聴したいコンテンツを手動で選択することの煩わしさを解決するための技術として、例えば特許文献２に開示されている技術が存在する。この特許文献２は、ハードディスクドライブやＤＶＤ等の大容量記録媒体にコンテンツデータを記録できる家庭用の記録再生機器を用いた技術であり、ユーザの視聴頻度によって番組等のコンテンツ選択の優先度が決められ、よりユーザの嗜好に合ったコンテンツを自動的に記録するという方法を提案している。
【特許文献１】特開２００１−３１３７４１号公報
【特許文献２】特開平７−１３５６２１号公報
【発明の開示】
【発明が解決しようとする課題】
【０００６】
しかしながら、上記特許文献１に記載の技術では、ユーザの嗜好が反映されることなく全てのコンテンツデータに対してファイル同期を行うか、又はユーザが自分の嗜好に合わせて１つずつコンテンツデータを選択するかしなければならない。前者の場合、コンテンツデータが莫大なデータ量を持つ映像データであると、大変長い通信時間を要することになる。後者の場合には、上述したコンテンツデータを手動で選択することの煩わしさの問題は、依然として解消されない。
【０００７】
また、上記特許文献２に記載の技術では、データ送信については記述も示唆もされていない。すなわち、ユーザの嗜好に合ったコンテンツデータを記録した後、どのコンテンツデータを移動可能機器に送信すればよいかは、全く考慮されていない。単純に特許文献１の技術を特許文献２の技術に適用したとしても、ユーザの嗜好に合わせて記録した全てのコンテンツデータが移動可能機器に送信されるだけであり、ユーザの嗜好だけでなく様々な視聴条件（機器の記憶容量や利用時間等）に適合したコンテンツデータだけを効率的に送信することはできない。
【０００８】
それ故に、本発明の目的は、ユーザに操作の煩わしさを与えずに、ユーザの嗜好に合ったコンテンツデータを様々な視聴条件に適合させかつ効率的に送信先の記録再生機器に送信することができる、記録再生装置、データ送受信システム及びデータ送受信方法を提供することである。
【課題を解決するための手段】
【０００９】
本発明は、映像や音声等で構成されるコンテンツのデータを受信し、記録及び再生を行う記録再生装置に向けられている。そして、上記目的を達成させるために、本発明の記録再生装置は、記録部、通信部、ユーザ設定記憶部及び制御部を備えている。記録部は、受信したコンテンツのデータを記録する。通信部は、記録部に記録されたコンテンツのデータを他の記録再生装置に送信する。ユーザ設定記憶部は、記録部に記録されたコンテンツの中から他の記録再生装置へ送信するコンテンツを特定するための送信設定情報を記憶する。制御部は、送信設定情報に基づいて、通信部による他の記録再生装置へのコンテンツのデータ送信を自動的に制御する。
【００１０】
典型的な送信設定情報は、ユーザの嗜好に合ったコンテンツを特定するためのキーワードを含み、制御部は、キーワードによって特定されたコンテンツをデータ送信することを行う。また、送信設定情報は、必ず送信するコンテンツを指定するための必須情報をさらに含み、制御部は、必須情報によって指定されたコンテンツを優先してデータ送信することを行ってもよい。
【００１１】
さらに、送信設定情報は、コンテンツをデータ送信する他の記録再生装置が使用される環境に関する情報を含み、制御部は、当該情報に基づいて環境に合致したコンテンツをデータ送信することが好ましい。ここで、環境に関する情報に、少なくとも他の記録再生装置でコンテンツの再生が開始される開始時刻が指定されていれば、制御部は、送信設定情報で特定されたコンテンツの合計データ量及び通信部によるデータ伝送レートを判断し、開始時刻までに当該特定されたコンテンツのデータ送信が完了するように、通信部から他の記録再生装置へのコンテンツのデータ送信開始時刻を決定することが可能である。
【００１２】
また、ユーザ設定記憶部に、コンテンツの予約記録に関する記録設定情報をさらに記憶させておき、制御部に、記録設定情報に基づいて、記録部に記録するコンテンツを自動的に制御させてもよい。この場合、記録設定情報は、ユーザが直接的に指定したコンテンツの記録設定情報及びユーザがキーワードを用いて間接的に指定したコンテンツの記録設定情報を含むことが好ましい。
【００１３】
なお、記録設定情報及び送信設定情報は、ユーザ毎に設定できれば詳細な制御が可能となる。この記録設定情報及び送信設定情報は、外部接続されるユーザインタフェースを介してユーザによって設定され、ユーザ設定記憶部に記憶されてもよいし、ユーザによるコンテンツの再生状況に応じて自動的に更新されてもよい。ユーザインタフェースを用いる場合には、予約記録情報を設定する画面、嗜好情報を設定する画面、又はこれらの情報の少なくとも一方を設定することで決定される記録予定のコンテンツを確認する画面の少なくとも１つを表示して、ユーザが確認しながら記録設定情報を設定できるようにすればよいし、必須情報を設定する画面、嗜好情報を設定する画面、又はこれらの情報の少なくとも一方を設定することで決定されるデータ送信予定のコンテンツを確認する画面の少なくとも１つを表示して、ユーザが確認しながら送信設定情報を設定できるようにすればよい。また、制御部は、送信設定情報で特定されたコンテンツ毎に、その記録開始時刻以降に通信部から他の記録再生装置へ向けてストリームによるデータ送信を開始させても構わない。
【００１４】
実際の構成としては、通信部が別である場合も考えられる。この場合には、記録再生装置は、受信したコンテンツのデータを記録する記録部と、記録部に記録されたコンテンツの中から他の記録再生装置へ送信するコンテンツを特定するための送信設定情報を記憶するユーザ設定記憶部と、送信設定情報に基づいて、他の記録再生装置へ送信するコンテンツのデータを準備する制御部とで構成されることになる。
【００１５】
さらに、本発明は、映像や音声等で構成されるコンテンツのデータを受信して記録及び再生を行う記録再生装置から、他の記録再生装置へ特定のコンテンツをデータ送信するデータ送受信システムにも向けられている。このデータ送受信システムでは、記録再生装置に、記録部、通信部、ユーザ設定記憶部及び制御部を備えさせ、他の記録再生装置に、記録再生装置から送信されるコンテンツのデータを受信する通信部と、通信部で受信されたコンテンツのデータを記録する記録部とを備えさせる。
【００１６】
好ましくは、記録再生装置のユーザ設定記憶部に、コンテンツの予約記録に関する記録設定情報をさらに記憶させ、記録再生装置の制御部に、記録設定情報に基づいて、記録再生装置の記録部に記録するコンテンツを自動的に制御させる。
【００１７】
なお、記録設定情報及び送信設定情報は、記録再生装置に外部接続されるユーザインタフェースを介してユーザによって設定され、ユーザ設定記憶部に記憶されてもよいし、他の記録再生装置に外部接続されるユーザインタフェースを介してユーザによって設定され、他の記録再生装置の通信部から記録再生装置の通信部へ通信が行われてユーザ設定記憶部に記憶されてもよい。ユーザインタフェースを用いる場合には、上述のようにユーザが画面を確認しながら記録設定情報及び送信設定情報を設定できるようにすればよい。また、記録設定情報及び送信設定情報は、ユーザによる記録再生装置におけるコンテンツの再生状況に応じて自動的に更新されてもよいし、ユーザによる他の記録再生装置におけるコンテンツの再生状況に応じて、他の記録再生装置の通信部から記録再生装置の通信部へ通信が行われて自動的に更新されてもよい。
【００１８】
また、記録再生装置の通信部に、制御部による制御の下、送信設定情報で特定されたコンテンツ毎に、その記録開始時刻以降からコンテンツデータをストリームによって順次送信させ、他の記録再生装置の通信部に、記録再生装置からストリームによって送信されるコンテンツデータを順次受信させても構わない。この他の記録再生装置が車に設置されていれば、本発明のデータ送受信システムによる特有の効果を最大限に発揮できる。
【００１９】
上述したデータ受信システムの各構成が行うそれぞれの処理は、一連の処理手順を与えるデータ送受信方法として捉えることができる。すなわち、映像や音声等で構成されるコンテンツのデータを受信して記録及び再生を行う記録再生装置において、所定の記録媒体に記録されたコンテンツの中から他の記録再生装置へ送信するコンテンツを特定するための送信設定情報を設定し、送信設定情報に基づいて他の記録再生装置へ送信するコンテンツデータを自動的に準備し、準備されたコンテンツデータを他の記録再生装置に自動的に送信し、他の記録再生装置において、記録再生装置から送信されるコンテンツのデータを受信するデータ送受信方法である。
【００２０】
この方法において、記録再生装置に、コンテンツの予約記録に関する記録設定情報をさらに設定させ、記録設定情報に基づいて受信したコンテンツのデータを所定の記録媒体に記録させてもよい。また、他の記録再生装置に、記録設定情報及び送信設定情報を通信によって設定させてもよい。さらに、記録再生装置に、送信設定情報で特定されたコンテンツ毎に、その記録開始時刻以降からコンテンツデータをストリームによって順次送信させ、他の記録再生装置に、記録再生装置からストリームによって送信されるコンテンツデータを順次受信させてもよい。
【発明の効果】
【００２１】
上述した本発明の記録再生装置及びデータ送受信システム並びにデータ送受信方法によれば、ユーザ設定記憶部に予め設定された記録設定情報及び／又は送信設定情報に従って、コンテンツの記録とデータ送信とを行う。これにより、記録再生装置ではユーザの嗜好に合ったコンテンツをユーザの手を煩わせることなく自動的に記録し、また他の記録再生装置へ視聴に適したコンテンツを効率よく自動的に送信することができる。また、データ送信先の他の記録再生装置から、記録設定情報及び／又は送信設定情報の設定／変更も可能であるので利便性が高い。さらに、各コンテンツデータをコンテンツの記録時刻（実放送時間帯）に連動してストリーミングで送信するので、目的のコンテンツをより早くまた数多く他の記録再生装置に記録することができる。
【発明を実施するための最良の形態】
【００２２】
以下、家庭内に設置される据置型の記録再生装置で自動記録されたＴＶ番組（コンテンツ）のうち、予めユーザによって設定された条件に基づいて選択された番組のみを、車に搭載された記録再生装置に送信するシステム例を用いて、本発明を説明する。
【００２３】
（第１の実施形態）
図１は、本発明の第１の実施形態に係るデータ送受信システムの構成を示すブロック図である。図１において、第１の実施形態に係るデータ送受信システムは、家庭用記録再生装置１０と、車用記録再生装置４０とが、無線通信可能に接続される構成である。家庭用記録再生装置１０は、受信部１１と、記録部１２と、制御部１３と、ユーザ設定記憶部１４と、通信部１５と、再生部１６とを備えている。車用記録再生装置４０は、通信部４１と、記録部４２と、再生部４３とを備えている。なお、通信部１５や通信部４１は、他の機能ブロックと分離して独立した装置として構成されてもよい。
【００２４】
まず、家庭用記録再生装置１０の概要を説明する。
【００２５】
受信部１１は、ＴＶチューナ等であり、デジタル又はアナログの入力信号を受信して選局された番組のデータを出力する。本実施形態における入力信号は、映像信号及び音声信号、場合によっては文字信号を含んでいる。記録部１２は、受信部１１が出力する番組データを、ハードディスクドライブ等の記録媒体（図示せず）にデジタル形式で記録する。なお、記録部１２では、番組データをＭＰＥＧ−２方式等に従って圧縮したり、アナログ形式をデジタル形式に変換すること等が、必要に応じて行われる（図示せず）。ユーザ設定記憶部１４は、外部接続されるユーザインタフェース（Ｉ／Ｆ）部３０を介してユーザによって入力された、記録する番組の予約やユーザの嗜好に関する各種設定の情報を記憶する。制御部１３は、ユーザ設定記憶部１４の設定内容に基づいて、番組記録動作及びデータ送信動作の制御を行う。通信部１５は、車用記録再生装置４０との通信が可能であり、制御部１３の制御に従って記録部１２に記録された番組データの送信を行う。受信部１１から出力される番組データや記録部１２に記録された番組データは、ユーザからの指示に応じて、再生部１６で必要な処理（圧縮データの伸張やデジタル／アナログ変換等）が施された後、外部接続されるモニタ等の表示部２０に表示される。
【００２６】
次に、車用記録再生装置４０の概要を説明する。
【００２７】
通信部４１は、家庭用記録再生装置１０との通信が可能であり、無線送信されてくる番組データの受信を行う。記録部４２は、通信部４１が受信した番組データを、ハードディスクドライブ等の記録媒体（図示せず）に記録する。記録部４２に記録された番組データは、ユーザからの指示に応じて、再生部４３で必要な処理（圧縮データの伸張やデジタル／アナログ変換等）が施された後、外部接続されるモニタ等の表示部５０に表示される。
【００２８】
次に、図２〜図９をさらに参照して、上記構成によるデータ送受信システムで行われるデータ送受信方法を説明する。図２は、本発明の第１の実施形態に係るデータ送受信方法の処理手順の概略を示すフローチャートである。本第１の実施形態に係るデータ送受信方法は、家庭用記録再生装置１０で行われるユーザ設定処理（ステップＳ２０１）、記録処理（ステップＳ２０２）、データ送信準備処理（ステップＳ２０３）及びデータ送信処理（ステップＳ２０４）と、車用記録再生装置４０で行われるデータ受信処理（ステップＳ２０５）とで実現される。以下、これらの処理を順に説明する。
【００２９】
（１）ユーザ設定処理
ユーザ設定処理（ステップＳ２０１）では、ユーザＩ／Ｆ部３０を介して、ユーザによって番組記録に関する設定（以下、番組記録設定と記す）及びデータ送信に関する設定（以下、データ送信設定と記す）が行われ、その設定内容の情報がユーザ設定記憶部１４に記憶される。このユーザ設定記憶部１４は複数の設定内容を記憶することが可能であり、例えば家族のように同一装置を複数のユーザが共有する場合には、ユーザ毎に番組記録やデータ送信に関する設定を行うことができる。
【００３０】
番組記録設定は、記録部１２に記録する番組を特定するための情報を設定する処理であり、通常の録画予約の設定とキーワードによる録画予約の設定とがある。
【００３１】
通常の録画予約の設定は、例えば図３に示す設定画面３０１を表示部２０に表示させることで行われる。番組リスト３０２には、ユーザが録画を希望する番組（録画予約番組）について、送信（放送）される日付、チャンネル、開始時刻、終了時刻等の情報が入力される。この情報は、ユーザによって逐一入力されてもよいし、周知のＥＰＧ（Ｅｌｅｃｔｒｉｃ  Ｐｒｏｇｒａｍ  Ｇｕｉｄｅ）を利用して入力されてもよい。ボタン３０３は、ＥＰＧを利用する際の操作ボタンである。ＥＰＧを利用すれば、番組リスト３０２の全ての項目が自動的に入力され、図３のように番組のタイトル等も設定可能である。番組リスト３０２の設定内容は自由に変更や削除が可能であり、また録画が終了した番組に関する設定は番組リスト３０２から自動的に削除される。なお、ＥＰＧ以外にも、ｉＥＰＧ（ｉｎｔｅｒｎｅｔ  ＥＰＧ）やＡＤＭＡＳ−ＥＰＧ（ＴＶ−Ａｓａｈｉ  Ｄａｔａ  ａｎｄ  Ｍｕｌｔｉｍｅｄｉａ  Ｓｅｒｖｉｃｅ−ＥＰＧ）等を、同様に用いることが可能である。
【００３２】
キーワードによる録画予約の設定は、例えば図４に示す設定画面４０１を表示部２０に表示させることで行われる。キーワードリスト４０２には、ユーザが好む番組ジャンルや芸能人の名前等がキーワードとして入力される。ボタン４０３の操作によって、登録されたキーワードによるＥＰＧ番組表を用いた番組タイトルや内容の検索が行われ、番組表に含まれる情報とキーワードとが一致する番組が抽出される。抽出された番組は、図５に示す設定画面５０１の番組リスト５０２のように、録画予約番組として自動的に設定される。もちろん、このキーワードリスト４０２や番組リスト５０２の設定内容も自由に変更や削除が可能であり、また録画が終了した番組に関する設定は番組リスト５０２から自動的に削除される。
【００３３】
データ送信設定は、記録部１２に記録された番組のうちの通信部１５から送信する番組を特定するための情報を設定する処理であり、上述した通常の録画予約に対する設定とキーワードによる録画予約に対する設定とがある。
【００３４】
通常の録画予約に対する設定は、例えば図６に示す設定画面６０１を表示部２０に表示させることで行われる。番組リスト６０２には、通常の録画予約によって設定された番組（図３を参照）毎に、優先送信の有無が入力される。図６の例では、優先的にデータ送信をすべき番組には「○」が設定されている。この設定は、優先して送信する番組を指定するものであって、送信する／送信しないを指定するものではない。従って、送信先の車用記録再生装置４０の状況によっては、「○」が設定されている番組は送信が必須であるが、「−」が設定されている番組でも送信されることもあり得る。具体的には、必ず車内で視聴したい番組に「○」を設定すればよい。好ましくは、ボタン６０３を設けて番組記録の設定画面３０１へ移れるようにし、このボタン６０３を通して予約録画された番組は自動的に優先送信有りに設定されるようにする。このようにすれば、予約録画の設定の後にデータ送信の設定を行うという２度手間を省くことができる。なお、番組リスト６０２には、ボタン６０４によってキーワードによる録画予約によって設定された番組（図５を参照）を適宜追加できるようにすれば、なおよい。もちろん、この番組リスト６０２の設定内容も自由に変更や削除が可能である。
【００３５】
キーワードによる録画予約に対する設定は、例えば図７に示す設定画面７０１を表示部２０に表示させることで行われる。送信キーワードリスト７０２には、図４に示す設定画面４０１のキーワードリスト４０２のうち、車用記録再生装置４０へ送信して車内で視聴したい番組に関するキーワードが入力される。予定出発時刻７０３には、車が家を離れるおおよその時刻が入力される。予定運転時間７０４には、予定出発時刻７０３から家に帰宅するまでに車を運転するおおよその時間が入力される。おすすめ送信７０５は、図６の番組リスト６０２において優先送信有りと設定されている番組及び送信キーワードリスト７０２に設定されているキーワードから抽出される番組以外の番組を、送信したい場合に「ＯＮ」に設定される。もちろん、この送信キーワードリスト７０２の設定内容も自由に変更や削除が可能である。
【００３６】
以上説明した番組記録設定及びデータ送信設定をユーザが行うことによって、番組に関する必要な設定がユーザ設定記憶部１４に記憶され、このユーザ設定処理（ステップＳ２０１）が終了する。
【００３７】
（２）記録処理
記録処理（ステップＳ２０２）では、ユーザ設定処理（ステップＳ２０１）の番組記録設定によってユーザ設定記憶部１４に記憶された番組を、制御部１３の制御に従って記録部１２に記録する処理が行われる。制御部１３は、ユーザ設定記憶部１４に記憶された番組リスト３０２（図３）及び番組リスト５０２（図５）を参照し、設定された内容に従って記録部１２に番組記録の指示を行う。記録部１２は、制御部１３からの指示に応じて、番組の受信（放送）時間になると自動的にその番組を記録する。この記録処理により、家庭用記録再生装置１０は、ユーザの嗜好に合った番組を自動的に記録することができる。
【００３８】
（３）データ送信準備処理
データ送信準備処理（ステップＳ２０３）では、ユーザ設定処理（ステップＳ２０１）のデータ送信設定によってユーザ設定記憶部１４に記憶された内容に基づいて、制御部１３が、記録処理によって記録部１２に記録された番組からデータ送信すべき番組のみを抽出することを行う。図８は、図２のデータ送信準備処理（ステップＳ２０３）を詳細に説明するフローチャートである。
【００３９】
まず、制御部１３は、図６の番組リスト６０２を検索し、優先送信が指定されている番組を抽出する（ステップＳ８０１）。すなわち、番組リスト６２で優先送信の項目に「○」が設定されている番組である。抽出された番組は、所定の送信番組リストに格納される。次に、制御部１３は、図７の送信キーワードリスト７０２に登録されているキーワードに対応する番組を、図５の番組リスト５０２の番組から抽出し、送信番組リストに格納する（ステップＳ８０２）。次に、制御部１３は、図７のおすすめ送信の設定が「ＯＮ」であるか否かを判断し（ステップＳ８０３）、ＯＮの場合にはおすすめ番組を自動的に抽出して、送信番組リストに格納する（ステップＳ８０４）。ここで、おすすめ番組とは、ユーザ設定を参照することなく装置が自動的に検索する番組であり、装置が特定の観点で視聴を薦める番組（最新の番組等）をいう。
【００４０】
上記処理で作成される送信番組リストは、例えば図９に示すようなものである。図９の送信番組リスト９０１には、上記ステップＳ８０１〜Ｓ８０４で抽出された番組毎に、番組のタイトル、記録時間、ジャンル及び番組がどの設定によって選択されたかを示す選択方法が格納されている。選択方法の「指定」とは、優先送信で抽出された番組を示し（図６を参照）、「自動選択」とは、キーワードによって抽出された番組を示し（図７を参照）、「おすすめ」とはおすすめ機能で抽出された番組を示す。この送信番組リスト９０１は、設定画面としてユーザに提示されてもよいし、提示されなくてもよい。提示させる場合には、抽出された番組を削除できる機能を備えておけば便利である。
【００４１】
送信番組リスト９０１が作成されると、制御部１３は、送信番組リスト９０１の全番組のデータ量及びデータ伝送レートを判断し、通信部１５から通信部４１へ全てのデータ送信するために必要な送信時間を算出する。そして、制御部１３は、図７の予定出発時刻７０３までに全データの送信が完了するように、送信番組リスト９０１の番組のデータ送信開始時刻を決定する（ステップＳ８０５）。このように、データ送信開始時刻がわかれば、車用記録再生装置４０の電源をその時刻から投入すればよくなり、バッテリーの浪費が少なくて済むという利点がある。このデータ送信準備処理（ステップＳ２０３）により、家庭用記録再生装置１０から車用記録再生装置４０へ送信すべき番組のデータとその送信時刻が、ユーザの煩わしい操作を伴わないで自動的に決定される。
【００４２】
なお、図８には示していないが、各ステップＳ８０１〜Ｓ８０４において、制御部１３は、送信番組リスト９０１の番組の合計時間が図７の予定運転時間７０４に設定された時間を超えないか、また同番組の合計データ量が車用記録再生装置４０の記録部４２の空容量を超えないかを逐次判断し、送信番組リスト９０１に格納する番組の選択を行う。すなわち、この判断・選択によって、車を運転する時間が１時間であるのに２時間分の番組を送信したり、記録部４２の空容量が１０ＭＢしかないのに２０ＭＢ分の番組データを送信したり、という不具合の発生を回避することが可能となる。なお、記録部４２の空容量を制御部１３で判断するためには、車用記録再生装置４０から記録部４２の空容量を通知してもらう必要がある。これにより、ユーザの嗜好に合いかつ車内で視聴するのに最適な番組を自動的に選択することができるのである。
【００４３】
（４）データ送信処理及びデータ受信処理
データ送信処理（ステップＳ２０４）では、家庭用記録再生装置１０の通信部１５が、制御部１３による制御の下、データ送信準備処理（ステップＳ２０３）によって作成された送信番組リスト９０１及び決定されたデータ送信開始時刻に基づいて、車用記録再生装置４０へ番組データの送信を行う。この送信は、無線通信で行われ、典型的にはＩＥＥＥ８０２．１１ａ，１１ｂ，１１ｇ等の無線ＬＡＮが用いられる。
【００４４】
データ受信処理（ステップＳ２０５）では、車用記録再生装置４０の通信部４１が、家庭用記録再生装置１０からデータ送信されてくる番組データを順次受信する。
【００４５】
以上のように、本発明の第１の実施形態に係るデータ送受信システムによれば、ユーザ設定記憶部１４に番組記録及びデータ送信に関するユーザ設定を予め保存しておき、このユーザ設定に従って番組記録とデータ送信とを行う。これにより、家庭用記録再生装置１０ではユーザの嗜好に合った番組をユーザの手を煩わせることなく自動的に記録し、また車内で視聴することに適した番組を効率よく自動的に車用記録再生装置４０に送信及び記録することができる。
【００４６】
なお、上記実施形態では、入力信号をＴＶ信号としたがこれに限られるものではない。例えばラジオ放送等のオーディオ放送でもよく、またインターネット経由の配信コンテンツにおいても同様のシステムを構築することができる。また、ユーザの嗜好に合った番組を検索する情報としてキーワードを設定する場合を示したが、これ以外にもお好みジャンルやお好み放送局等を設定しても構わない。また、図３〜図７に示した設定画面は一例であって、本発明の番組記録及びデータ送信が実行できるのであれば、他の設定画面を用いて行われも構わない。
【００４７】
また、上記実施形態では、通常の録画予約で設定された番組とキーワードによる録画予約で設定された番組の両方を記録して、それらの番組に基づいた送信番組リストを作成する例を説明した。しかし、これらの番組のどちらか一方だけを記録して、その番組に基づいた送信番組リストを作成するするシステムとすることも可能である。また、データ送信準備処理にて作成する送信番組リストの番組は、優先送信が指定された番組群、キーワードで検索された番組群及びおすすめ番組群からそれぞれ抽出される必要はなく、少なくとも１つ番組群から抽出されればよい。
【００４８】
また、上記実施形態におけるユーザ設定記憶部１４へのユーザ設定は、設定に変更が生じるたびに随時行われてもよいし、初回の設定だけが行われてその後は制御部１３がユーザの視聴頻度等に基づいて自動的に設定内容を更新するようにしてもよいし、ユーザによる設定を全く行うことなく制御部１３がユーザ設定記憶部１４の設定を最初から構築しまた更新するようにしてもよい。
【００４９】
さらに、リムーバブルメディアによる持ち運びが煩わしくないのなら、家庭用記録再生装置１０から車用記録再生装置４０へデータ送信する番組データの一部を、ＤＶＤ−ＲＡＭ等のブリッジメディアに保存して活用させることも考えられる。図１０にブリッジメディアを用いる場合の家庭用記録再生装置１０側の構成を、図１１に車用記録再生装置４０側の構成図を示す。これらの図に示すように、ブリッジメディアドライブ６０及び７０が家庭用記録再生装置１０及び車用記録再生装置４０にそれぞれ接続される。このような形態をとることで、家庭用記録再生装置１０のブリッジメディアドライブ６０でデータが書き込まれたブリッジメディアを、車用記録再生装置４０のブリッジメディアドライブ７０に挿入して読み出すことで、家庭用記録再生装置１０から車用記録再生装置４０へデータを移動することが可能となる。
【００５０】
（第２の実施形態）
上記第１の実施形態では、家庭用記録再生装置１０だけでユーザ設定処理を行う場合を説明した。次の第２の実施形態では、車用記録再生装置４０からもユーザ設定処理を可能としたデータ送受信システムについて説明する。
【００５１】
図１２は、本発明の第２の実施形態に係るデータ送受信システムの構成を示すブロック図である。図１２において、第２の実施形態に係るデータ送受信システムは、家庭用記録再生装置１０と、車用記録再生装置４０とが、無線通信可能に接続される構成である。家庭用記録再生装置１０及び車用記録再生装置４０の構成は、第１の実施形態と第２の実施形態とで同一であるが、図１２に示すようにユーザ設定記憶部１４と通信部１５との間の信号処理、及び通信部４１と外部接続されるユーザＩ／Ｆ部８０との間の信号処理が、それぞれ異なる。本第２の実施形態に係るデータ送受信システムにおいて上記第１の実施形態に係るデータ送受信システムと同一の構成部分は、同一の参照符号を付している。以下、図１２及び図１３を参照して、異なる部分を中心に第２の実施形態に係るデータ送受信システムを説明する。
【００５２】
車用記録再生装置４０において、通信部４１は、ユーザＩ／Ｆ部８０を介してユーザによって入力された、記録する番組の予約やユーザの嗜好に関する各種設定を一時的に記憶する。そして、通信部４１は、この記憶された各種設定を家庭用記録再生装置１０へ送信する。この送信では、車が移動しながら家庭用記録再生装置１０と車用記録再生装置４０とが通信可能な場合を想定しており、遠距離で直接無線通信できるシステムやインターネットを経由した無線通信システム等の利用が考えられる。
【００５３】
家庭用記録再生装置１０において、通信部１５は、車用記録再生装置４０から送信されてくる各種設定のデータを受信する。そして、通信部１５は、受信した各種設定をユーザ設定記憶部１４に記憶する。
【００５４】
図１３は、本発明の第２の実施形態に係るデータ送受信方法の処理手順の概略を示すフローチャートである。
【００５５】
まず、通信部４１は、ユーザ設定更新指示を通信部１５に送信する（ステップＳ１３１１）。この指示の送信は、例えば所定のメニュー項目から選択して行われる。また、通信部４１は、ユーザ設定更新指示と共に、操作しているユーザを示す情報（ユーザＩＤ等）を通信部１５へ送信する。ユーザ設定更新指示を受信すると（ステップＳ１３０１）、通信部１５は、現在のユーザ設定内容をユーザ設定記憶部１４から読み出し、通信部４１へ送信する（ステップＳ１３０２）。この際、送信するのは対象ユーザに関する設定だけである。現在のユーザ設定内容を受信すると（ステップＳ１３１２）、通信部４１は、表示部５０等に設定内容を表示させる。この表示は、上記第１の実施形態で説明した通りである。ユーザは、表示画面で現在の設定内容を確認し、新たな設定内容をユーザＩ／Ｆ部８０を介して入力する。通信部４１は、ユーザＩ／Ｆ部８０を介して入力された新たな設定内容を、通信部１５に送信する（ステップＳ１３１３）。新たな設定内容を受信すると（ステップＳ１３０３）、通信部１５は、新たな設定内容をユーザ設定記憶部１４に記憶する（ステップＳ１３０４）。そして、最後に、通信部１５が設定完了の通知を通信部４１に送信し、通信部４１がこの通知を受信することでユーザ設定処理が終了する（ステップＳ１３０５、Ｓ１３１４）。
【００５６】
以上のように、本発明の第２の実施形態に係るデータ送受信システムによれば、番組記録及びデータ送信に関するユーザ設定を、データ送信先の装置からも可能である。これにより、ユーザは、番組の録画予約はもちろんのこと「次回の移動中にはこんな番組が見たい」という要望を、車で移動中に即座に設定することができる。また、帰りが遅くて家庭用記録再生装置１０で直接設定をすることが困難な場合でも、外出先から設定を行うことで時間を有効に利用することができる。
【００５７】
なお、車用記録再生装置４０によるユーザ設定処理は、上記第２の実施形態で説明したようにユーザＩ／Ｆ部８０を介してユーザが直接設定する場合の他、車用記録再生装置４０においてよく再生される番組のジャンル等をデータベース化しておき、車用記録再生装置４０が定期的に自動でユーザ設定処理を行う場合も考えられる。また、ユーザ設定処理は、番組を再生する車用記録再生装置４０から行われる以外にも、例えば、パソコンからインターネット経由で行われてもよいし、携帯電話やＰＤＡ（Ｐｅｒｓｏｎａｌ  Ｄｉｇｉｔａｌ  Ａｓｓｉｓｔａｎｔｓ）のような携帯情報端末を用いて行われてもよい。
【００５８】
（第３の実施形態）
上記第１及び第２の実施形態では、データ送信準備処理（ステップＳ２０３）で決定されたデータ送信開始時刻になってから、家庭用記録再生装置１０から車用記録再生装置４０に向けて番組データの送信が開始される場合を説明した。しかし、全ての番組データの送信が完了するまでに長時間が必要な場合には、データ送信開始時刻以降に放送される番組が送信すべき番組に該当していても送信番組リスト９０１に挙げられないという不具合が生じる恐れがある。そこで、次の第３の実施形態では、送信番組リスト９０１に挙げられた番組については、番組が放送されると同時に車用記録再生装置４０へのストリーミング送信を実行するようにしたデータ送受信システムについて説明する。
【００５９】
本発明の第３の実施形態に係るデータ送受信システムの概要構成は、図１や図１２に示した構成と同様であるが、一部構成の処理が異なる。以下、図１及び図１４を参照して、異なる部分を中心に第３の実施形態に係るデータ送受信システムを説明する。
【００６０】
番組リスト３０２及び５０２に設定された番組の開始時刻になると、記録部１２は、番組データの記録動作を開始する（ステップＳ１４０１）。ここで、記録動作を開始した番組が送信番組リスト９０１に挙げられた番組である場合、通信部１５は、番組のストリームデータをパケット化して通信部４１に順次送信する（ステップＳ１４０２）。通信部４１は、通信部１５からストリーミング送信されるデータパケットを受信し、番組データを抽出して記録部４２に順次記録する（ステップＳ１４１１）。通常、家庭用記録再生装置１０では、ストリーミング処理よりも記録媒体への記録処理の方が先に終了する（ステップＳ１４０３）。よって、通信部１５は、記録処理の終了後も番組のデータパケットを通信部４１に送信し続け（ステップＳ１４０４）、最終データパケットを送信することでこの処理を終了する（ステップＳ１４０５）。通信部４１は、通信部１５から最終データパケットを受信することでこの処理を終了する（ステップＳ１４１２）。通信部１５から送信されるパケット数は、番組の記録時間や圧縮率によって異なる。また、図１４に示している複数のデータパケットは、ステップＳ１４０６の処理に関係なく連続したストリームとして送信される。なお、図示していないが、パケット通信においてデータパケットにエラーがある場合は、一般的な再送処理が行われる。
【００６１】
図１５は、第３の実施形態に係るデータ送受信システムの動作を時間軸に表した図である。ポイントＰ１１及びＰ１２は、それぞれ家庭用記録再生装置１０が記録を開始した時刻及び記録を終了した時刻である。この時刻差を時間Ｔ１とする。ポイントＰ２１及びＰ２２は、それぞれ車用記録再生装置４０が先頭データパケットを受信した時刻及び最終データパケットを受信した時刻である。この時刻差を時間Ｔ３とする。また、時間Ｔ２は、ポイントＰ１１からポイントＰ２１までの時間、すなわち家庭用記録再生装置１０が記録を開始した時刻から車用記録再生装置４０が先頭データパケットを受信した時刻までの時間である。
【００６２】
番組の開始から全てのストリームデータが車用記録再生装置４０に記録されるまでの時間は、（時間Ｔ２＋時間Ｔ３）で決まる。時間Ｔ３は、通信速度を向上させる、あるいはデータを圧縮してデータ量を削減することで短縮は可能である。しかし、通信速度は装置の能力で向上させることはできないし、またデータ圧縮することはコンテンツの品質を低下させることになるため好ましくない。従って、車用記録再生装置４０に目的の番組をいかに早く記録できるかは、時間Ｔ２をどれだけ短縮できるかによって定まる。第３の実施形態では、家庭用記録再生装置１０が記録を開始したと同時にデータストリーミング動作を開始するため、時間Ｔ２をできる限り短縮することができる。
【００６３】
以上のように、本発明の第３の実施形態に係るデータ送受信システムによれば、各番組データを番組の実放送時間帯にストリーミングで送信するので、目的の番組をより早くまた数多く車用記録再生装置４０に記録することができる。例えば、全てのデータ送信に２時間かかる複数の番組データが、記録部１２の送信番組リスト９０１に格納されている場合、上記第１及び第２の実施形態では、朝８時に出発するのであれば６時からデータ送信を開始する必要がある。このため、朝７時から７時３０分までに放送されるニュース番組を車用記録再生装置４０に送信することはできなかった。しかし、第３の実施形態の手法を用いれば、朝７時までに２時間分の番組データの送信が全て終了していると考えられるので、朝のニュース番組も問題なく車用記録再生装置４０に記録することができるのである。
【産業上の利用可能性】
【００６４】
本発明の記録再生装置、データ送受信システム及びデータ送受信方法は、固定的に設置される装置で記録されたコンテンツを移動可能な装置においても視聴したい場合等に利用可能であり、特にユーザの手を煩わせることなく、ユーザの嗜好に合ったコンテンツを一方の装置から他方の装置へ自動的かつ効率よく送信させたい場合等に適している。
【図面の簡単な説明】
【００６５】
【図１】本発明の第１及び第３の実施形態に係るデータ送受信システムの構成を示すブロック図
【図２】本発明の第１〜第３の実施形態に係るデータ送受信方法の処理手順の概略を示すフローチャート
【図３】番組記録設定時の設定画面の一例（通常の録画予約設定）
【図４】番組記録設定時の設定画面の一例（キーワード登録）
【図５】番組記録設定時の設定画面の一例（キーワードによる録画予約設定）
【図６】データ送信設定時の設定画面の一例（優先送信設定）
【図７】データ送信設定時の設定画面の一例（キーワード設定）
【図８】データ送信準備処理（ステップＳ２０３）の手順を示すフローチャート
【図９】データ送信準備処理（ステップＳ２０３）で作成される送信番組リストの一例
【図１０】本発明の第１の実施形態に係るデータ送受信システムにおける家庭用記録再生装置１０の他の構成を示すブロック図
【図１１】本発明の第１の実施形態に係るデータ送受信システムにおける車用記録再生装置４０の他の構成を示すブロック図
【図１２】本発明の第２の実施形態に係るデータ送受信システムの構成を示すブロック図
【図１３】本発明の第２の実施形態に係るデータ送受信システムで行われるユーザ設定処理を説明するフローチャート
【図１４】本発明の第３の実施形態に係るデータ送受信システムで行われるデータストリーミング処理を説明するフローチャート
【図１５】本発明の第３の実施形態に係るデータ送受信システムで行われるデータストリーミング処理を説明する図
【図１】
2005071509.tif 000003
【図２】
2005071509.tif 000004
【図３】
2005071509.tif 000005
【図４】
2005071509.tif 000006
【図５】
2005071509.tif 000007
【図６】
2005071509.tif 000008
【図７】
2005071509.tif 000009
【図８】
2005071509.tif 000010
【図９】
2005071509.tif 000011
【図１０】
2005071509.tif 000012
【図１１】
2005071509.tif 000013
【図１２】
2005071509.tif 000014
【図１３】
2005071509.tif 000015
【図１４】
2005071509.tif 000016
【図１５】
2005071509.tif 000017